(57)【要約】【課題】簡単かつ確実にステージに取り付けられるダミー体を提供する。【解決手段】ダミー体２は、フィルムもしくはシートによって形成された、飲料の容器を模したダミー本体３と、自動販売機等のステージ１の取付孔１ａに取り付けられるベース４とを有する。ここで、ダミー本体３は、ステージ１における取付孔１ａの周縁部と、ベース４とに挟まれる、挟まれ部Ｈを備える。この挟まれ部Ｈは、ダミー本体３の底壁となる本体底壁３ｄと、その本体底壁３ｄから下方に突出する本体突条片３ｅとからなる。すなわち、本体底壁３ｄが、取付孔１ａの周縁部の上面と、ベース４の底壁となるベース底壁４ａとに挟まれる。そして、本体突条片３ｅが、取付孔１ａの内周面と、ベース底壁４ａから下方に突出するベース突条片４ｂとに挟まれる。【選択図】  図１
2004246672.tif 000002
【特許請求の範囲】
【請求項１】
自動販売機とかショーケース等のステージに配備されるダミー体であって、
フィルムもしくはシートによって形成された、飲料とかタバコ等の商品の容器または包装を模したダミー本体と、
前記ステージの取付孔に取り付けられるベースとを有し、
前記ダミー本体は、前記ステージに取り付けられるべく、前記ステージにおける前記取付孔の周縁部と、前記ベースとに挟まれる、挟まれ部を備えることを特徴とするダミー体。
【請求項２】
前記ベースは、ベース底壁を備え、
前記ダミー本体は、本体底壁を備え、その本体底壁が、前記挟まれ部となって、前記取付孔の周縁部の上面と前記ベース底壁とに挟まれることを特徴とする請求項１に記載のダミー体。
【請求項３】
前記本体底壁には、下方に突出する本体突片が設けられ、その本体突片が、前記取付孔の内周面と対向するようにして前記取付孔に挿入されることを特徴とする請求項２に記載のダミー体。
【請求項４】
前記ベース底壁には、下方に突出するベース突片が設けられ、
前記本体突片が、前記挟まれ部となって、前記取付孔の内周面と前記ベース突片とに挟まれることを特徴とする請求項３に記載のダミー体。
【請求項５】
前記ダミー本体および前記ベースは、前記ベースが前記取付孔に取り付けられた状態で、前記本体底壁を前記ステージと前記ベースとの間の隙間から挿脱可能となるように形成されていることを特徴とする請求項２ないし４のいずれか１項に記載のダミー体。
【請求項６】
前記ダミー本体は、前記容器または包装の、背面側を除き正面側を模すように形成されていることを特徴とする請求項１ないし５のいずれか１項に記載のダミー体。
【請求項７】
前記ベースは、前記ベースをその回動方向の所定の位置に保持すべく、前記取付孔に設けられた掛止部に掛け止められる被掛止部を備え、かつ、
前記ベースは、前記ダミー本体の回動を阻止するために、前記ダミー本体の側端に当接する当接部を備えることを特徴とする請求項１ないし６のいずれか１項に記載のダミー体。
【請求項８】
前記ベースは、前記取付孔に設けられた切欠きから挿入されて回動されることで、前記取付孔の周縁部の裏面と対向する対向部を備えることを特徴とする請求項７に記載のダミー体。
【発明の詳細な説明】
【０００１】
【発明の属する技術分野】
この発明は、自動販売機とかショーケース等のステージに配備されるダミー体に関するものである。
【０００２】
【従来の技術】
従来、例えば、ジュース等の飲料用の自動販売機内には、その飲料の容器を模した、ダミー体が陳列されていた。そこで、このダミー体として、例えば、図１０に示されるような、飲料のボトルを模したダミーボトル１１があった（特許文献１参照）。このダミーボトル１１は、ポリカーボネート製の透明シートを、真空成形により半割り状のボトル形状に成形したものであった。そして、このダミーボトル１１の下端部には、自動販売機内のステージに明けられた嵌合用孔に嵌合する嵌合部１２が、前記真空成形により一体に設けられていた。
【０００３】
【特許文献１】
特開２００１−３１９２６９号公報
【０００４】
【発明が解決しようとする課題】
ところで、前記従来のダミーボトル１１にあっては、ステージへの取付用の嵌合部１２が、真空成形により一体に形成されていたため、その嵌合部１２が、わずかな外力で簡単に変形した。その結果、例えば、ダミーボトル１１の交換作業等において、交換の予定のないダミーボトル１１あるいは交換が完了したダミーボトル１１に手が触れると、そのダミーボトル１１がステージから簡単に外れてしまう虞があった。
【０００５】
この発明は、上記した従来の欠点を解決するためになされたものであり、その目的とするところは、簡単かつ確実にステージに取り付けられるダミー体を提供することにある。
【０００６】
【課題を解決するための手段】
この発明に係るダミー体は、前記目的を達成するために、次の構成からなる。すなわち、
請求項１に記載の発明に係るダミー体は、自動販売機とかショーケース等のステージに配備されるダミー体である。このダミー体は、フィルムもしくはシートによって形成された、飲料とかタバコ等の商品の容器または包装を模したダミー本体と、前記ステージの取付孔に取り付けられるベースとを有する。そして、前記ダミー本体は、前記ステージに取り付けられるべく、前記ステージにおける前記取付孔の周縁部と、前記ベースとに挟まれる、挟まれ部を備える。
【０００７】
こうして、ダミー体は、フィルムもしくはシートによって形成されたダミー本体と、ベースとを有し、そのベースが、ステージの取付孔に取り付けられる。そして、ダミー本体は、挟まれ部が、ステージにおける取付孔の周縁部とベースとに挟まれるようにして、ステージに取り付けられる。
【０００８】
また、請求項２に記載の発明に係るダミー体のように、請求項１に記載のダミー体において、前記ベースは、ベース底壁を備え、前記ダミー本体は、本体底壁を備え、その本体底壁が、前記挟まれ部となって、前記取付孔の周縁部の上面と前記ベース底壁とに挟まれてもよい。これにより、挟まれ部となる本体底壁が、ステージにおける取付孔の周縁部の上面と、ベース底壁とに挟まれ、こうして、ダミー本体は、ステージに取り付けられる。
【０００９】
また、請求項３に記載の発明に係るダミー体のように、請求項２に記載のダミー体において、前記本体底壁には、下方に突出する本体突片が設けられ、その本体突片が、前記取付孔の内周面と対向するようにして前記取付孔に挿入されてもよい。このように、ダミー本体の本体底壁に設けられた本体突片が、取付孔の内周面と対向するように取付孔に挿入されることで、このダミー本体は、ステージから外れ難くなっている。
【００１０】
また、請求項４に記載の発明に係るダミー体のように、請求項３に記載のダミー体において、前記ベース底壁には、下方に突出するベース突片が設けられ、前記本体突片が、前記挟まれ部となって、前記取付孔の内周面と前記ベース突片とに挟まれてもよい。このように、ダミー本体の本体底壁に設けられた本体突片が、取付孔の内周面と、ベース底壁に設けられたベース突片とに挟まれることで、このダミー本体は、ステージから一層外れ難くなっている。
【００１１】
また、請求項５に記載の発明に係るダミー体のように、請求項２ないし４のいずれか１項に記載のダミー体において、前記ダミー本体および前記ベースは、前記ベースが前記取付孔に取り付けられた状態で、前記本体底壁を前記ステージと前記ベースとの間の隙間から挿脱可能となるように形成されてもよい。これにより、ダミー本体は、その本体底壁をステージとベースとの間の間隙から挿入することで、ステージに取り付けられ、また、本体底壁を前記間隙から抜き出すことで、ステージから取り外される。このように、ベースが取付孔に取り付けられた状態で、ダミー本体をステージに取り付けたり取り外したりすることができ、例えば、ダミー体を交換する場合に、ベースを取り外すことなく、ダミー本体を交換することが可能となる。
【００１２】
また、請求項６に記載の発明に係るダミー体のように、請求項１ないし５のいずれか１項に記載のダミー体において、前記ダミー本体は、前記容器または包装の、背面側を除き正面側を模すように形成されてもよい。このように、ダミー本体は、容器または包装の背面側が除かれて正面側を模すものであるので、このダミー本体は、フィルムもしくはシートから、簡単に形成される。
【００１３】
また、請求項７に記載の発明に係るダミー体のように、請求項１ないし６のいずれか１項に記載のダミー体において、前記ベースは、前記ベースをその回動方向の所定の位置に保持すべく、前記取付孔に設けられた掛止部に掛け止められる被掛止部を備え、かつ、前記ベースは、前記ダミー本体の回動を阻止するために、前記ダミー本体の側端に当接する当接部を備えてもよい。このように、ベースは、被掛止部が、取付孔の掛止部に掛け止められて、取付孔に対して、回動方向の所定の位置に保持される。そして、ダミー本体は、その側端が、ベースに備えられた当接部に当接することで、その回動が阻止されて、ベースに対して所定の回動位置に保持される。こうして、ダミー本体は、ベースを介すことで、取付孔に対して所定の回動位置に保持される。
【００１４】
また、請求項８に記載の発明に係るダミー体のように、請求項７に記載のダミー体において、前記ベースは、前記取付孔に設けられた切欠きから挿入されて回動されることで、前記取付孔の周縁部の裏面と対向する対向部を備えてもよい。このように、ベースは、回動操作することで、対向部が、ステージにおける取付孔の周縁部の裏面と対向し、そして、前記被掛止部が、取付孔の掛止部に掛け止められ、こうして、ベースは、取付孔に取り付けられる。
【００１５】
【発明の実施の形態】
以下、この発明に係るダミー体の実施の形態を図面に基づいて説明する。
【００１６】
図１ないし図９は、本発明に係るダミー体の一実施の形態を示す。図中符号１は、自動販売機とかショーケース等におけるステージである。２は、このステージ１に配備されるダミー体である。
【００１７】
ここで、ステージ１は、例えば、鉄板等の板材からなる。そして、ステージ１には、取付孔１ａが明けられている（図３参照）。この取付孔１ａは、略円形形状に形成されている。そして、取付孔１ａには、取付孔１ａの内周面から窪むようにして、掛止部１ｂおよび切欠き１ｃが設けられている。
【００１８】
ダミー体２は、図１および図２に示すように、飲料とかタバコ等の商品の容器または包装を模したダミー本体３と、前記ステージ１の取付孔１ａに取り付けられる、前記ダミー本体３とは別体のベース４とを有している。ここにおいて、ダミー本体３は、ポリカーボネート樹脂とかポリエステル樹脂等の、フィルムもしくはシートによって形成され、図示実施の形態においては、そのフィルムもしくはシートを用いて、真空成形または熱板成形により形成される。そして、ダミー本体３は、前記ステージ１に取り付けられるべく、そのステージ１における前記取付孔１ａの周縁部と、前記ベース４とに挟まれる、挟まれ部Ｈを備えている。
【００１９】
詳細には、ダミー本体３は、図４ないし図６に示すように、容器または包装として、飲料のボトル、すなわちＰＥＴボトルや金属ボトル等のボトルを模したものであって、上部は、上端部の飲み口部３ａに向かうにつれて径小となるように形成されている。そして、このダミー本体３は、ボトルの、背面側を除き正面側を模すように形成されている。より詳細には、ダミー本体３は、その周壁３ｂおよび頂壁３ｃが、ボトル形状の正面側となる前半分からなる半割り形状となっている。
【００２０】
また、ダミー本体３は、その底壁となる本体底壁３ｄを備えている。そして、その本体底壁３ｄが、前記挟まれ部Ｈとなって、ステージ１における取付孔１ａの周縁部の上面と、後述するベース底壁４ａとに挟まれる（図１参照）。そして、本体底壁３ｄには、下方に突出する本体突片としての本体突条片３ｅが設けられており、その本体突条片３ｅが、取付孔１ａの内周面と対向するようにしてその取付孔１ａに挿入される。ここにおいて、この本体突条片３ｅもまた、前記挟まれ部Ｈとなって、取付孔１ａの内周面と後述するベース突条片４ｂとに挟まれる。具体的には、本体底壁３ｄは、前記周壁３ｂの下端から湾曲あるいは屈曲するようにして延設されて、帯状（図示実施の形態においては、リングを半割りにした形状）に形成されている。そして、本体突条片３ｅは、本体底壁３ｄの内周のほぼ全体から下方に突出して形成されている。
【００２１】
ベース４は、例えばポリプロピレン樹脂等の合成樹脂製であって、例えば射出成形により形成される。このベース４は、図１および図７に示すように、その底壁となるベース底壁４ａを備えている。そして、ベース底壁４ａには、下方に突出するベース突片としてのベース突条片４ｂが設けられている。具体的には、ベース４は、僅かな高さの円筒状の周壁４ｃを備えており、前記ベース底壁４ａは、この周壁４ｃの下端から湾曲あるいは屈曲するようにして延設されて、帯状に形成されている。図示実施の形態においては、ベース底壁４ａは、リング状に形成されており、そして、このベース底壁４ａには、周方向の二ヵ所に、通孔４ｄが明けられている。また、ベース突条片４ｂは、ベース底壁の４ａ内周側の、前記通孔４ｄ、４ｄ部分を除くほぼ全体から、下方に突出して形成されている。
【００２２】
また、ベース４は、そのベース４をその回動方向の所定の位置に保持すべく、ステージ１の取付孔１ａに設けられた前記掛止部１ｂに掛け止められる被掛止部４ｅを備えている。そして、ベース４は、ステージ１の取付孔１ａに設けられた前記切欠き１ｃから挿入されて回動されることで、取付孔１ａの周縁部の裏面と対向する対向部４ｆを備える（図８、図９参照）。さらに、ベース４は、ダミー本体３の回動を阻止するために、ダミー本体３の側端３ｆ、３ｆに当接する当接部Ｔ、Ｔを備えている（図２参照）。具体的には、ベース４は、各通孔４ｄ部分において、ベース底壁４ａから延設された撓み片４ｇを備えており、この撓み片４ｇに、前記被掛止部４ｅと前記対向部４ｆとが設けられている。そして、図示実施の形態においては、一方の撓み片４ｇに設けられた被掛止部４ｅと、他本の撓み片４ｇに設けられた対向部４ｆとが、前記当接部Ｔとなっている。
【００２３】
ところで、ダミー本体３およびベース４は、そのベース４がステージ１の取付孔１ａに取り付けられた状態で、本体底壁３ｄ（詳細には、本体突条片３ｅを含む）をステージ１とベース４との間の隙間から挿脱可能となるように形成されている。すなわち、図示実施の形態においては、ステージ１に対するベース４のガタとか、ベース４の弾性的な変形とかの要因により、ステージ１とベース４との間に、適当な隙間が形成され、そして、ダミー本体３の、本体底壁３ｄ（詳細には、本体突条片３ｅを含む）が、前記挿脱に伴って弾性的に変形することで、本体底壁３ｄ（詳細には、本体突条片３ｅを含む）は、前記隙間から挿脱可能となる。
【００２４】
次に、以上の構成からなるダミー体２の作用効果について説明する。このダミー体２は、図１および図２に示すように、飲料のボトルを模したダミー本体３と、ベース４とを有しており、そのベース４が、ステージ１の取付孔１ａに取り付けられる。そして、ダミー本体３は、挟まれ部Ｈとなる本体底壁３ｄが、ステージ１における取付孔１ａの周縁部の上面と、ベース底壁４ａとに挟まれ、そして、同じく挟まれ部Ｈとなる本体突条片３ｅが、取付孔１ａの内周面と、ベース突条片４ｂとに挟まれる。このように、ダミー本体３は、挟まれ部Ｈとなる、本体底壁３ｄおよび本体突条片３ｅが、ステージ１における取付孔１ａの周縁部とベース４とに挟まれるようにして、ステージ１に取り付けられる。こうして、ベース４がステージ１の取付孔１ａに取り付けられ、そして、ダミー本体３が、取付孔１ａの周縁部とベース４とに挟まれることで、このダミー本体３を含むダミー体２は、簡単かつ確実にステージ１に取り付けられる。このとき、特に、ダミー本体３の本体突条片３ｅが、取付孔１ａの内周面と対向するように取付孔１ａに挿入され、しかも、この本体突条片３ｅが、取付孔１ａの内周面と、ベース突条片４ｂとに挟まれることで、このダミー本体３は、ステージ１から外れ難くなっている。
【００２５】
ここで、取付孔１ａへのベース４の取付けにおいては、図８および図９に示すように、対向部４ｆを取付孔１ａに設けられた切欠き１ｃから挿入するようにして、ベース突条片４ｂを取付孔１ａに挿入し、その後、回動操作（図示実施の形態においては、時計回り方向に回動操作）することで、対向部４ｆが、ステージ１における取付孔１ａの周縁部の裏面と対向し、このベース４は、抜け止めされる。このとき、ベース４は、被掛止部４ｅが、取付孔１ａの掛止部１ｂに掛け止められ、このベース４は、取付孔１ａに対して、回動方向の所定の位置に保持される。このように、このベース４の取付構造においては、ベース４を回動操作することで、このベース４を取付孔１ａに容易に取り付ることができる。
【００２６】
そして、ダミー本体３は、図２に示すように、その側端３ｆ、３ｆが、ベース４に備えられた当接部Ｔ、Ｔ（詳細には、被掛止部４ｅと対向部４ｆ）に当接することで、その回動が阻止されて、ベース４に対して所定の回動位置に保持される。ここで、前述のように、ベース４は、取付孔１ａに対して、回動方向の所定の位置に保持されている。したがって、ダミー本体３は、ベース４を介すことで、取付孔１ａに対して所定の回動位置に保持されることとなる。
【００２７】
また、ここにおいて、ダミー本体３は、その本体底壁３ｄを、ステージ１と、予め取付孔１ａに取り付けられたベース４との間の間隙から挿入することで、ステージ１に取り付けられ、また、本体底壁３ｄを、前記間隙から抜き出すことで、ステージ１から取り外される。このように、ベース４が取付孔１ａに取り付けられた状態で、ダミー本体３をステージ１に取り付けたり取り外したりすることができる。したがって、例えば、ダミー体２を交換する場合に、ベース４を取り外すことなく、ダミー本体３を交換することで、この交換を簡単に行なうことができる。また、こうすることで、ダミー体２（ダミー本体３）の交換の前後において、ベース４を共通に用いることができる。
【００２８】
また、ダミー本体３は、容器または包装としてのボトルの背面側が除かれて正面側を模すものであるので、このダミー本体３は、フィルムもしくはシートから、簡単に形成される。
【００２９】
なお、本発明は、上述した実施の形態に限定されるわけではなく、その他種々の変更が可能である。例えば、ダミー本体３は、飲料のボトルを模したものでなくとも、缶を模したものであってもよく、また、タバコの包装（包装容器あるいは包装袋）を模したものであってもよく、このように、各種商品の容器または包装を模したものであれば、どのようなものでもよい。
【００３０】
また、ダミー本体３の側端３ｆ、３ｆは、図５および図６に示すように、周壁３ｂから本体底壁３ｄに移る部分、そして、本体底壁３ｄおよび本体突条片３ｅが、傾斜して形成されているが、周壁３ｂと同様に底壁３ｄおよび本体突条片３ｅにおいても、半割り形状となるように、側面視において真直ぐに形成されていてもよい。
【００３１】
また、ダミー本体３は、フィルムもしくはシートを用いて、真空成形または熱板成形により形成されるが、他の成形方法によって形成されてもよく、また、フィルムもしくはシートを単に切ったり折り曲げたりすることで形成されてもよい。
【００３２】
また、このダミー体２をステージ１に取り付けるにあたって、ベース４をステージ１の取付孔１ａに取り付けた後に、ダミー本体３をステージ１に取り付けるという手順で行なわなくとも、ダミー本体３を、取付孔１ａに添えるようにし、その状態で、ベース４を取付孔１ａに取り付けてもよい。
【００３３】
また、ベース４をステージ１の取付孔１ａに取り付けるために、ベース４は、対向部４ｆとか被掛止部４ｅを備えて、そのベース４を回動操作することで、取付孔１ａに取り付けられるが、例えば、ベース４の下端部に係合爪を設け、その係合爪を弾性的に変形させるようにして、ベース４の下端部を取付孔１ａに押し込むことで、前記係合爪を取付孔１ａの周縁部の裏面と対向させる等、その取付構造は、図示実施の形態に限定されるものではない。
【００３４】
【発明の効果】
以上、詳述したところから明らかなように、この発明に係るダミー体によれば、次の効果がある。
【００３５】
請求項１および２に記載されたダミー体によれば、ベースがステージの取付孔に取り付けられ、そして、ダミー本体が、取付孔の周縁部とベースとに挟まれることで、このダミー体は、簡単かつ確実にステージに取り付けられる。
【００３６】
また、請求項３に記載されたダミー体によれば、請求項２の効果に加えて、本体底壁に設けられた本体突片が、ステージの取付孔の内周面と対向するようにその取付孔に挿入されることで、ダミー本体は、ステージから外れ難くなり、これによって、このダミー本体を含むダミー体は、一層確実にステージに取り付けられる。
【００３７】
また、請求項４に記載されたダミー体によれば、請求項３の効果に加えて、本体底壁に設けられた本体突片が、ステージの取付孔の内周面と、ベース底壁に設けられたベース突片とに挟まれることで、ダミー本体は、ステージから一層外れ難くなり、これによって、このダミー本体を含むダミー体は、より一層確実にステージに取り付けられる。
【００３８】
また、請求項５に記載されたダミー体によれば、請求項２ないし４のいずれか１項の効果に加えて、ベースが取付孔に取り付けられた状態で、ダミー本体をステージに取り付けたり取り外したりすることができるため、ダミー体を交換する場合に、ベースを取り外すことなく、ダミー本体を交換することで、この交換を簡単に行なうことができる。
【００３９】
また、請求項６に記載されたダミー体によれば、請求項１ないし５のいずれか１項の効果に加えて、ダミー本体が、容器または包装の背面側が除かれて正面側を模すものであることから、このダミー本体を、フィルムもしくはシートから、簡単に形成することができる。
【００４０】
また、請求項７に記載されたダミー体によれば、請求項１ないし６のいずれか１項の効果に加えて、ベースを介すことで、ダミー本体を取付孔の所定の回動位置に保持することができる。
【００４１】
また、請求項８に記載されたダミー体によれば、請求項７の効果に加えて、ベースを回動操作することで、このベースを取付孔に容易に取り付ることができる。
【図面の簡単な説明】
【図１】この発明に係るダミー体の一実施の形態の、側断面図である。
【図２】同じく、底面図である。
【図３】同じく、ステージの平面図である。
【図４】同じく、ダミー本体の正面図である。
【図５】同じく、ダミー本体の側断面図である。
【図６】同じく、ダミー本体の底面図である。
【図７】同じく、ベースの平面図である。
【図８】同じく、ベースをステージの取付孔に取り付ける手順を示す平面図である。
【図９】同じく、ベースをステージの取付孔に取り付けた状態を示す平面図である。
【図１０】従来のダミーボトルを示す側面図である。
【符号の説明】
１  ステージ                      １ａ  取付孔
１ｂ  掛止部                      １ｃ  切欠き
２  ダミー体                      ３  ダミー本体
３ｄ  本体底壁                    ３ｅ  本体突条片（本体突片）
３ｆ  側端                        ４  ベース
４ａ  ベース底壁                  ４ｂ  ベース突条片（ベース突片）
４ｅ  被掛止部                    ４ｆ  対向部
Ｈ  挟まれ部                      Ｔ  当接部
【図１】
2004246672.tif 000003
【図２】
2004246672.tif 000004
【図３】
2004246672.tif 000005
【図４】
2004246672.tif 000006
【図５】
2004246672.tif 000007
【図６】
2004246672.tif 000008
【図７】
2004246672.tif 000009
【図８】
2004246672.tif 000010
【図９】
2004246672.tif 000011
【図１０】
2004246672.tif 000012